(57)【要約】      （修正有）【課題】簡易な構成で、コネクタどうしを容易かつ確実に嵌合させる嵌合治具を提供する。【解決手段】第１のコネクタ１に装着される第１ガイド部材１０１ａに対して適宜の位置関係をなすように第２のコネクタ２を配置することにより、第１ガイド部材１０１ａに装着した第１のコネクタ１に対して、第２ガイド部材１０２ｇに装着した第２のコネクタ２を所定の位置関係をなすように配置し、第１及び第２のガイド部材１０１ａ，１０２ｇを介して第１のコネクタ１に対する嵌合対向位置に第２のコネクタ２を位置決めさせるとともに、その位置決め状態とした第２のコネクタ２を、押圧嵌合部材の押し込み操作によって第１のコネクタ１に対する最終嵌合位置まで容易かつ円滑に押し込むように構成したものである。【選択図】図６
2010244762.tif 000002
【特許請求の範囲】
【請求項１】
第１のコネクタに対して第２のコネクタを嵌合対向位置に配置し、その嵌合対向位置に配置した前記第２のコネクタを前記第１のコネクタに向かって移動させて最終嵌合位置に押し込むものであって、
前記第１のコネクタに対して適宜の位置関係をなすように装着され、前記第２のコネクタの挿入通路を有する第１ガイド部材と、
前記第１ガイド部材と適宜の位置関係をなすように配置されて、前記第１のガイド部材の挿入通路を通して挿入された前記第２のコネクタを前記嵌合対向位置に位置決めする第２ガイド部材と、
前記第２ガイド部材により前記嵌合対向位置に位置決めされた前記第２のコネクタを、前記最終嵌合位置まで押し込むように移動される押圧嵌合部材と、
を備えていることを特徴とする電気コネクタ嵌合治具。
【請求項２】
前記第１ガイド部材は、前記第１のコネクタの外枠を位置基準として装着されるように構成されていることを特徴とする請求項１記載の電気コネクタ嵌合治具。
【請求項３】
前記押圧嵌合部材が、前記第１ガイド部材に対して進退するように往復移動自在に取り付けられていることを特徴とする請求項１記載の電気コネクタ嵌合治具。
【請求項４】
前記押圧嵌合部材が、前記第２ガイド部材と一体的に往復移動するように構成されていることを特徴とする請求項１記載の電気コネクタ嵌合治具。
【請求項５】
前記第１のコネクタが、印刷配線基板上に実装されるリセプタクルコネクタであるとともに、前記第２のコネクタが、適宜の信号伝送媒体が連結されるプラグコネクタであり、かつ、前記第２のコネクタの挿入方向に見たときに、前記プラグコネクタの外郭が、前記リセプタクルコネクタの外郭より内側にあることを特徴とする請求項１記載の電気コネクタ嵌合治具。
【請求項６】
前記第１ガイド部材が、前記リセプタクルコネクタに当接することにより、前記印刷配線基板と非接触状態で保持されるように構成されていることを特徴とする請求項５記載の電気コネクタ嵌合治具。
【請求項７】
前記第１のガイド部材の挿入通路には、当該挿入通路を通して挿入された前記第２のコネクタを前記第１のコネクタに向かって押圧付勢する弾性部材が設けられ、
その弾性部材の押圧付勢と前記第１のガイド部材の位置決め作用によって前記第２のコネクタを前記嵌合対向位置に仮保持状態に維持するように構成されていることを特徴とする請求項１記載の電気コネクタ嵌合治具。
【発明の詳細な説明】
【技術分野】
【０００１】
本発明は、一対のコネクタどうしを嵌合対向位置から最終嵌合位置に押し込むようにして嵌合させるように構成された電気コネクタ嵌合治具に関する。
【背景技術】
【０００２】
一般に、種々の電気機器には、一対のコネクタどうしを嵌合させるように構成された電気コネクタが広く用いられている。例えば、電子回路等が形成された印刷配線基板上に、一方側のリセプタクルコネクタ（第１のコネクタ）を実装するとともに、他方側のプラグコネクタ（第２のコネクタ）にはケーブルやＦＰＣやＦＦＣ等の各種信号伝送媒体を連結しておき、そのプラグコネクタをリセプタクルコネクタに押し込むようにして嵌合させることによって、信号伝送媒体を構成している複数の信号線やグランド線を電子回路側に接続させる構成になされている。
【０００３】
このように電気コネクタは、通常、一対のコネクタどうしを嵌合させる作業が必要となるが、その嵌合作業は、近年における電気コネクタの小型化及び低背化に伴って次第に効率が低化する傾向にある。すなわち、電気コネクタが小型化又は低背化されると、コネクタ自体の保持性や、位置決め性などのハンドリング性が低下することとなり、上述したような一対のコネクタどうしを嵌合させる作業が難しくなってきている。
【発明の概要】
【発明が解決しようとする課題】
【０００４】
このような背景から、コネクタを容易に取り扱うための電気コネクタ嵌合治具が従来から種々提案されている。しかしながら従来の電気コネクタ嵌合治具は、相手コネクタに対する嵌合位置決め性が良くなく、全体構造が複雑化しているもの（以下の特許文献１、２参照）に限られており、簡易な構成で、コネクタどうしを容易かつ確実に嵌合させることができるものは未だ提案されていないのが実情である。
【０００５】
【特許文献１】実開昭５８−１７９７８４号公報
【特許文献２】特開平０２−０５５９７１号公報
【０００６】
そこで本発明は、簡易な構成で、コネクタどうしを容易かつ確実に嵌合させることができるようにした電気コネクタ嵌合治具を提供することを目的とする。
【課題を解決するための手段】
【０００７】
上記目的を達成するため本発明にかかる電気コネクタ嵌合治具では、第１のコネクタに対して第２のコネクタを嵌合対向位置に配置し、その嵌合対向位置に配置した前記第２のコネクタを前記第１のコネクタに向かって移動させて最終嵌合位置に押し込むものであって、前記第１のコネクタに対して適宜の位置関係をなすように装着され、前記第２のコネクタの挿入通路を有する第１ガイド部材と、前記第１ガイド部材と適宜の位置関係をなすように配置されて、前記第１のガイド部材の挿入通路を通して挿入された前記第２のコネクタを前記嵌合対向位置に位置決めする第２ガイド部材と、前記第２ガイド部材により前記嵌合対向位置に位置決めされた前記第２のコネクタを、前記最終嵌合位置まで押し込むように移動される押圧嵌合部材とを備えた構成になされている。
【０００８】
このような構成を有する電気コネクタ嵌合治具によれば、第１のコネクタに対して第１ガイド部材が所定の位置関係をなすように装着されるとともに、その第１ガイド部材に対して所定の位置関係をなす第２ガイド部材に、第１のガイド部材の挿入通路を通して挿入された第２のコネクタが装着されることにより、第１及び第２のガイド部材を介して第１のコネクタに対する嵌合対向位置に第２のコネクタが位置決めされることとなり、その位置決め状態になされた第２のコネクタが、押圧嵌合部材の押し込み操作によって第１のコネクタに対する最終嵌合位置まで挿入通路を通して容易かつ円滑に押し込まれるようになっている。
【０００９】
このとき本発明にかかる前記第１ガイド部材は、前記第１のコネクタの外枠を位置基準として装着されるように構成されていることが望ましい。
【００１０】
このような構成を有する電気コネクタ嵌合治具によれば、第１のコネクタに対して第１ガイド部材が容易かつ高精度に装着される。
【００１１】
また、本発明における前記押圧嵌合部材が、前記第１ガイド部材に対して進退するように往復移動自在に取り付けられていることが可能である。さらに、本発明における前記押圧嵌合部材が、前記第２ガイド部材と一体的に往復移動するように構成されていることも可能である。さらにまた、本発明における前記第１のコネクタが、印刷配線基板上に実装されるリセプタクルコネクタであるとともに、前記第２のコネクタが、適宜の信号伝送媒体が連結されるプラグコネクタであり、かつ、前記第２のコネクタの挿入方向に見たときに、前記プラグコネクタの外郭が、前記リセプタクルコネクタの外郭より内側にある構成とすることが可能である。
【００１２】
一方、本発明においては、前記第１ガイド部材が、前記リセプタクルコネクタに当接することにより、前記印刷配線基板と非接触状態で保持されるように構成されていることが望ましい。
【００１３】
このような構成を有する電気コネクタ嵌合治具によれば、プラグコネクタの嵌合が、印刷配線基板に接触させ、位置基準とするのではなく、常にリセプタクルコネクタを位置基準として行われているので、両コネクタどうしの嵌合代が一定に維持される。その結果、例えば印刷配線基板にリセプタクルコネクタを半田接続した際に、実装高さにバラツキを生じた場合等においても、両コネクタどうしの嵌合が良好に行われる。また、印刷配線基板に非接触状態で嵌合がなされるので、印刷配線基板へのダメージを最小限にすることができる。
【００１４】
さらに、本発明における第１のガイド部材の挿入通路には、当該挿入通路を通して挿入された前記第２のコネクタを前記第１のコネクタに向かって押圧付勢する弾性部材が設けられ、その弾性部材の押圧付勢と前記第１のガイド部材の位置決め作用によって前記第２のコネクタを前記嵌合対向位置に仮保持状態に維持する構成を採用することが好ましい。
【００１５】
このような構成を有する電気コネクタ嵌合治具によれば、位置決めされた第２のコネクタの仮保持状態が弾性部材の押圧付勢によって良好に維持され、より安定した嵌合作業が可能となる。
【発明の効果】
【００１６】
以上述べたように本発明にかかる電気コネクタ嵌合治具は、第１のコネクタに装着される第１ガイド部材に対して適宜の位置関係をなすように第２のコネクタを配置することにより、第１ガイド部材に装着した第１のコネクタに対して、第２ガイド部材に装着した第２のコネクタを所定の位置関係をなすように配置し、第１及び第２のガイド部材を介して第１のコネクタに対する嵌合対向位置に第２のコネクタを位置決めさせるとともに、その仮保持状態とした第２のコネクタを、押圧嵌合部材の押し込み操作によって第１のコネクタに対する最終嵌合位置まで容易かつ円滑に押し込むように構成したものであるから、簡易な構成で、コネクタどうしを容易かつ確実に嵌合させることができ、電気コネクタの生産性及び品質の双方を向上させることができる。
【図面の簡単な説明】
【００１７】
【図１】本発明にかかる電気コネクタ嵌合治具を用いて嵌合される電気コネクタの嵌合前の状態を後方側から表した外観斜視説明図である。
【図２】図１に示された電気コネクタの嵌合状態を後方側から表した外観斜視説明図である。
【図３】本発明の一実施形態にかかる電気コネクタ嵌合治具の内部構造を正面側から表した縦断面説明図である。
【図４】図３に示された電気コネクタ嵌合治具の内部構造を側面側から表した縦断面説明図である。
【図５】図１〜図４に示された電気コネクタ嵌合治具に、図１に示されたプラグコネクタ（第２のコネクタ）を挟持してリセプタクルコネクタ（第１のコネクタ）の上方位置に配置した状態を後方側から表した外観斜視説明図である。
【図６】図５に示された電気コネクタ嵌合治具の内部構造を正面側から表した縦断面説明図である。
【図７】図６中の符号VIIで示した部位を拡大して表した部分縦断面説明図である。
【図８】電気コネクタ嵌合治具内にプラグコネクタを挿入した状態の嵌合を完了した後に移動押込枠の挟持を解除した状態を表した部分縦断面説明図である。
【図９】図７の状態にある電気コネクタ嵌合治具を下降させた状態を表した図７相当の部分縦断面説明図である。
【図１０】図９の状態にある電気コネクタ嵌合治具を側面側から見たときの部分縦断面説明図である。
【図１１】図９中の XI − XI 線に沿った水平断面説明図である。
【図１２】図９中の XII − XII 線に沿った水平断面説明図である。
【図１３】図９の状態から電気コネクタ嵌合治具の移動押込枠を下降させた状態を表した部分縦断面説明図である。
【図１４】図１３の状態からプラグコネクタを挟持した状態を解除した状態を表した部分縦断面説明図である。
【図１５】電気コネクタ嵌合治具を上方に離間させた状態を表した部分縦断面説明図である。
【図１６】本発明の第２の実施形態にかかる電気コネクタ嵌合治具の使用前の状態を表した外観斜視説明図である。
【図１７】図１６に示された状態から電気コネクタ嵌合治具を作業台上にセットした状態を表した外観斜視説明図である。
【図１８】図１７に示された電気コネクタ嵌合治具の要部を拡大して表したものであって、（ａ）は第１及び第２のガイド部材を拡大して表した外観斜視説明図、（ｂ）は第１及び第２のガイド部材の縦断面説明図である。
【図１９】図１７に示された状態から電気コネクタ嵌合治具にプラグコネクタ（第２のコネクタ）を挿入し始めた状態を表した外観斜視説明図である。
【図２０】図１９に示された電気コネクタ嵌合治具の要部を拡大して表したものであって、（ａ）は第１及び第２のガイド部材を拡大して表した外観斜視説明図、（ｂ）は第１及び第２のガイド部材の縦断面説明図である。
【図２１】図１９に示された状態の電気コネクタ嵌合治具においてプラグコネクタ（第２のコネクタ）を嵌合対向位置まで押し下げた状態を表した外観斜視説明図である。
【図２２】図２１に示された電気コネクタ嵌合治具の要部を拡大して表したものであって、（ａ）は第１及び第２のガイド部材を拡大して表した外観斜視説明図、（ｂ）は第１及び第２のガイド部材の縦断面説明図である。
【図２３】図２２（ｂ）中の XXIII - XXIII 線に沿った断面であって両コネクタを除いた治具のみに関する水平断面説明図である。
【図２４】図２２（ｂ）中の XXIV - XXIV 線に沿った水平断面説明図である。
【図２５】図２１に示された状態から電気コネクタ嵌合治具の押圧嵌合部材を嵌合作用位置まで押し下げた状態を表した外観斜視説明図である。
【図２６】図２５に示された電気コネクタ嵌合治具の要部を拡大して表したものであって、（ａ）は第１及び第２のガイド部材を拡大して表した外観斜視説明図、（ｂ）は第１及び第２のガイド部材の縦断面説明図である。
【図２７】図２５に示された状態から電気コネクタ嵌合治具を電気コネクタから解除して上方に離間させた状態を表した外観斜視説明図である。
【発明を実施するための形態】
【００１８】
以下、複数本の同軸ケーブルを印刷配線基板側に接続する電気コネクタの嵌合を行わせる電気コネクタ嵌合治具に対して本発明を適用した場合の実施形態に関する説明を図面に基づいて詳細に行うが、それに先立って、まず本実施形態にかかる電気コネクタ嵌合治具により嵌合される電気コネクタの概略構造を説明しておく。
【００１９】
図１に示された電気コネクタは、第１のコネクタとしてのリセプタクルコネクタ１と、第２のコネクタとしてのプラグコネクタ２とからなる垂直嵌合型のコネクタ構造を備えたものであって、そのうちのリセプタクルコネクタ（第１のコネクタ）１は、電子回路等が形成された印刷配線基板Ｐ上に実装されるように構成されているとともに、プラグコネクタ（第２のコネクタ）２は、当該プラグコネクタ２の一端側縁部に多極状に並列するように配列された複数本の同軸ケーブル３の端末部分が連結されている。
【００２０】
これら両コネクタ１，２どうしを嵌合させるにあたっては、図示のようにリセプタクルコネクタ（第１のコネクタ）１の直上位置にプラグコネクタ（第２のコネクタ）２が配置された状態から、印刷配線基板Ｐと略直交する図１の下方側に向かってプラグコネクタ２が下降される。そして、リセプタクルコネクタ１の嵌合凹部１ａ内にプラグコネクタ２の嵌合凸部２ａが差し込まれ、それによって図２に示されているように両コネクタ１，２どうしの嵌合が行われるようになっている。また、そのような嵌合状態にあるプラグコネクタ２が、上方向に抜き出されることによって抜去が行われる構成になされている。以下、プラグコネクタ２を差し込む方向を下方向とし、それとは反対の抜き出す方向を上方向とする。
【００２１】
また、このようにして嵌合された状態の両コネクタ１，２を上方側から見たとき、前記プラグコネクタ２は、その平面視において前記リセプタクルコネクタ１の外郭より内側に収まるように構成されている。このとき、前記プラグコネクタ２の長手方向の両端部分には、ハウジング両端凸部２ｂ，２ｂがそれぞれ設けられており、それらの各ハウジング両端凸部２ｂ，２ｂが、前記リセプタクルコネクタ１の同じく長手方向の両端部分にそれぞれ設けられたハウジング両端凹部１ｂ，１ｂの内部側に挿通されて嵌合される構成になされている。各ハウジング両端凸部２ｂ及びハウジング両端凹部１ｂは、長手方向の端面が略平坦面状をなすように形成されており、しかも長手方向に直交する平面内においてほぼ同一面をなして略面一状態となるように形成されている。このようなハウジング両端凸部２ｂ及びハウジング両端凹部１ｂに設けられた長手方向の平坦端面は、後述する電気コネクタ嵌合治具１００を用いて嵌合を行う場合のガイド面の一部をなすように構成されている。
【００２２】
なお、以下において、上述したプラグコネクタ（第２のコネクタ）２に対して同軸ケーブル３の端末部分が連結される側の端縁部を後端縁部と呼び、それと反対側の他端縁部を前端縁部と呼ぶこととし、さらに、それらプラグコネクタ２の後端縁部及び前端縁部に対応するリセプタクルコネクタ１の各端縁部についても同様に後端縁部及び前端縁部と呼ぶこととする。
【００２３】
これらのリセプタクルコネクタ（第１のコネクタ）１及びプラグコネクタ（第２のコネクタ）２は、細長状の絶縁ハウジング１１，２１をそれぞれ備えているとともに、それらの絶縁ハウジング１１，２１の長手方向に沿って図示を省略した複数体の導電端子（コンタクト）が適宜のピッチ間隔で多極配列されている。さらに、前記絶縁ハウジング１１，２１の外表面は、上述した嵌合凹部１ａ及び嵌合凸部２ａを除いた部分が金属製の導電性シェル１２，２２により覆われた構造になされている。また、前記リセプタクルコネクタ（第１のコネクタ）１の導電性シェル１２には、印刷配線基板Ｐ上に半田付けされるホールドダウン部１２ａがそれぞれ設けられており、それらのホールドダウン部１２ａによって、前記導電性シェル１２を介在したグランド回路が形成されるとともに、リセプタクルコネクタ１の全体が強固に支持されるようになっている。
【００２４】
次に、上述した両コネクタ１，２どうしを嵌合させる際に用いる本発明の一実施形態にかかる電気コネクタ嵌合治具の構造について説明する。
【００２５】
図３〜図１５に示されている第１の実施形態にかかる電気コネクタ嵌合治具１００は、特に図５に示すように印刷配線基板Ｐに対して略直交するように略鉛直に立てられた状態で使用されるように構成されたものであって、当該電気コネクタ嵌合治具１００の使用時における下端部分（以下、使用時下端部分という。）には、第２のコネクタとしてのプラグコネクタ２が位置決めされた仮保持状態で装着されるようになっている。この電気コネクタ嵌合治具１００の使用時下端部分に仮保持されたプラグコネクタ（第２のコネクタ）２は、後述するように印刷配線基板Ｐ上に実装された前記リセプタクルコネクタ（第１のコネクタ）１の上方位置である嵌合対向位置に配置されてから、所定の嵌合操作によりリセプタクルコネクタ１に向かって近接するように移動され、両コネクタ１，２どうしの最終嵌合位置まで押し込まれる構成になされている。
【００２６】
このようにして使用される本実施形態にかかる電気コネクタ嵌合治具１００は、細長状に延在する中空状筐体からなる固定支持枠１０１を備えていて、その固定支持枠１０１の中空内部には、当該固定支持枠１０１の内壁面に沿って長手方向である上下方向（以下、使用時上下方向という。）に略直線状に往復移動される移動押込枠１０２が装着されている。
【００２７】
そのうち、固定支持枠１０１の使用時下端部分には、前記リセプタクルコネクタ（第１のコネクタ）１の外枠に沿って装着される第１ガイド部材１０１ａが設けられている。この第１ガイド部材１０１ａは、リセプタクルコネクタ１に対して適宜の位置関係をなすようにして装着される構成になされている。具体的には特に図１２に示されているように、リセプタクルコネクタ１の外枠のうちの、平面視において四隅に相当する部位に、上記第１ガイド部材１０１ａの内壁面が当接する構成になされている。このようにして固定支持枠１０１の第１ガイド部材１０１ａをリセプタクルコネクタ１の外枠に装着することによって、電気コネクタ嵌合治具１００の全体がリセプタクルコネクタ１に対してコネクタ前後方向及び長手方向における所定の位置関係となるように位置決めされる。
【００２８】
このとき、上述した固定支持枠１０１の第１ガイド部材１０１ａは、使用時上下方向に延在する挿入通路１０１ａ１を備えており、その挿入通路１０１ａ１を通して、前記移動押込枠１０２により仮保持されたプラグコネクタ（第２のコネクタ）２が使用時上下方向に移動されるようになっている。すなわち、固定支持枠１０１の内部に装着されている前記移動押込枠１０２は、使用時における上端部分（以下、使用時上端部分という。）に設けられた上端基部１０２ａから下方に向かって左右に分岐して延びる一対のチャッキング片１０２ｂ，１０２ｂを有している。これらの両チャッキング片１０２ｂ，１０２ｂは、図３の左右方向（以下、使用時水平方向という。）において略対称な形状を有するように形成されていて、上述した上端基部１０２ａに対して、薄厚板状の弾性連結板１０２ｂ１，１０２ｂ１を介して可撓性を備えるようにそれぞれ連結されていることにより、それらの両チャッキング片１０２ｂ，１０２ｂが前記上端基部１０２ａを中心として使用時水平方向（図示左右方向）に揺動可能となる構成になされている。
【００２９】
これら一対のチャッキング片１０２ｂ，１０２ｂは、使用時水平方向において対向する面どうしが互いに面接触可能となるように形成されているが、通常は、コイルバネ１０２ｃの付勢力によって離間した状態に維持されている。そのコイルバネ１０２ｃは、前記一対のチャッキング片１０２ｂ，１０２ｂどうしの間において使用時水平方向に沿って延在するように圧縮状態で装着されており、当該コイルバネ１０２ｃの伸張方向の付勢力によって、前記一対のチャッキング片１０２ｂ，１０２ｂどうしが使用時水平方向（図示左右方向）に互いに離間した状態に維持されるようになっている。なお、このように離間した状態では、上端基部１０２ａとチャッキング片１０２ｂを連結する弾性連結板１０２ｂ１を、固定指示枠１０１にて外方側から挟み込むことで両チャッキング片１０２ｂ，１０２ｂどうしの間の距離が離れすぎないように規制している。
【００３０】
また、これら一対のチャッキング片１０２ｂ，１０２ｂの揺動方向において両側外方の側面部分には、外方側に向かって段差状に張り出す挟持操作部１０２ｄ，１０２ｄが形成されている。それらの挟持操作部１０２ｄ，１０２ｄは、作業者の手の指で両側から挟み込むことが可能なように形成されており、当該挟持操作部１０２ｄ，１０２ｄを通して前記一対のチャッキング片１０２ｂ，１０２ｂどうしを近づけるように内方側に向かって押し込めば、上述したコイルバネ１０２ｃの伸張付勢力に抗して前記一対のチャッキング片１０２ｂ，１０２ｂが互いに近接していき、それらの内側面どうしが互いに当接し合う状態まで揺動される構成になされている。
【００３１】
ここで、上述したチャッキング片１０２ｂ，１０２ｂには、それらの使用時下方側部位に薄板状部材からなる揺動規制板１０２ｂ２，１０２ｂ２が設けられているとともに、それらの揺動規制板１０２ｂ２，１０２ｂ２どうしの間に挟まれるようにして、上述した固定支持枠１０１に中心合せ部材１０１ｄが設けられている。そして、上述したようにチャッキング片１０２ｂ，１０２ｂどうしが互いに近接するように揺動したときに、各チャッキング片１０２ｂの揺動規制板１０２ｂ２の内側表面が、前記中心合せ部１０１ｄの両側外表面に対して外方側から当接される構成になされている。このときの中心合せ部１０１ｄの両側外表面は、上述したチャッキング片１０２ｂ，１０２ｂどうしの揺動に関する中心線ＹＣＬの位置に対して、ほぼ対称位置となるように所定の位置精度にて配置されている。
【００３２】
上述したように、中心線ＹＣＬに対して中心振り分けされて配置された中心合せ部１０１ｄの両側外表面に、前記各チャッキング片１０２ｂの揺動規制板１０２ｂ２が当接されることによって、当該両チャッキング片１０２ｂ，１０２ｂどうしが中心線ＹＣＬに対して対称的に位置合わせされた状態で位置決めされる構成になされている。その結果、後述するように前記両チャッキング片１０２ｂ，１０２ｂによりプラグコネクタ２をチャッキングしたときの治具中心位置が、リセプタクルコネクタ１の長手方向における中心位置に対して常時一致するとともに、上述した揺動規制板１０２ｂ２の弾性可撓性によって、リセプタクルコネクタ１の長さのバラツキが吸収されるようになっている。なお、前記両チャッキング片１０２ｂ，１０２ｂによるプラグコネクタ２のチャッキング作用については後述することとする。
【００３３】
さらに、上述した移動押込枠１０２を構成している一対のチャッキング片１０２ｂ，１０２ｂどうしが揺動方向に対向している内側面には、使用時における上下方向（以下、使用時上下方向という。）に延在するコイルバネ１０３が装着されている。このコイルバネ１０３の上端部は、一対のチャッキング片１０２ｂ，１０２ｂの上端近傍位置に段差状をなすように形成されたバネ受け座面１０２ｅに当接されている。一方、前記コイルバネ１０３の下端部は、上述した固定支持枠１０１の高さ方向における略中央部分に設けられたバネ受け座面１０１ｂに当接されている。すなわち、これらの移動押込枠１０２側のバネ受け座面１０２ｅと、固定支持枠１０１側のバネ受け座面１０１ｂとの間には、上述したコイルバネ１０３が圧縮状態で使用時上下方向に延在するように装着されており、当該コイルバネ１０３の伸張方向（使用時上下方向）の付勢力によって、移動押込枠１０２が使用時上下方向の上方側に向かって押し上げられるようになっている。
【００３４】
この移動押込枠１０２に対する上方側への押し上げ位置は、当該移動押込枠１０２及び固定支持枠１０１のそれぞれに略肩形状をなすようにして設けられたストッパー１０２ｆ，１０１ｃどうしが、使用時上下方向に当接し合うことによって規制されている。このコイルバネ１０３の付勢力により上方押し上げ位置に保持される移動押込枠１０２は、上述したプラグコネクタ（第２のコネクタ）２に対する押圧嵌合部材を兼用するように構成されている。ずなわち、この押圧嵌合部材としての移動押込枠１０２には、後述のようにしてプラグコネクタ２が仮保持される構成になされており、そのプラグコネクタ２が仮保持された状態で当該移動押込枠１０２を上方押し上げ位置から下方に押し下げることによって、リセプタクルコネクタ（第１のコネクタ）１に対する最終嵌合位置までプラグコネクタ２が押し込まれる構成になされている。
【００３５】
このように押圧嵌合部材を兼用する移動押込枠１０２は、上端基部１０２ａ及び弾性連結板１０２ｂ１と固定指示枠１０１との接触面を摺動面（ガイド面）として第１ガイド部材１０１ａに対して使用時上下方向に進退するように往復移動自在に取り付けられているが、この点を具体的に説明する。上述した移動押込枠１０２を構成している一対のチャッキング片１０２ｂ，１０２ｂの使用時下端部分には、固定支持枠１０１側に設けられた第１ガイド部材１０１ａと適宜の位置関係をなすようにして第２ガイド部材１０２ｇ，１０２ｇがそれぞれ設けられている。このとき、特に図３に示すように、第２ガイド部材１０２ｇは、第１ガイド部材１０１ａに対して上方に位置するように配置されていて、上述した挿入通路１０１ａ１に沿って上下動される構成になされている。これらの各第２ガイド部材１０２ｇは、正面視において略フック形状をなすように形成されている。そして、上述したように一対のチャッキング片１０２ｂ，１０２ｂどうしを内方側に揺動させて面接触させた際に、前記プラグコネクタ（第２のコネクタ）２の一部である長手方向の両端部分に対して第２ガイド部材１０２ｇ，１０２ｇが外方側から係合するように当接する構成になされており、それらの第２ガイド部材１０２ｇ，１０２ｇの間にプラグコネクタ２が挟持されて仮保持されるようになっている。
【００３６】
このように移動押込枠１０２の第２ガイド部材１０２ｇによりプラグコネクタ（第２のコネクタ）２の仮保持を行うに先立っては、前述した固定支持枠１０１の使用時下端部分に設けられた第１ガイド部材１０１ａの挿入通路１０１ａ１を通してプラグコネクタ２が治具内部に挿入されることとなるが、その際に第１ガイド部材１０１ａの挿入通路１０１ａ１は、第２ガイド部材１０２ｇ及びプラグコネクタ２の挿入案内部材として機能する構成になされている。すなわち、固定支持枠１０１の挿入通路１０１ａ１の内部に挿入される第２ガイド部材１０２ｇ及びプラグコネクタ２は、特に図１１に示すように当該第２ガイド部材１０２ｇ及びプラグコネクタ２の前後両端縁部分が前記第１ガイド部材１０１ａの挿入通路１０１ａ１の内壁面に当接し、それによって電気コネクタ嵌合治具１００の前後方向（図１１の上下方向）にプラグコネクタ２の位置決めが行われるようになっている。
【００３７】
このように本実施形態においては、移動押込枠１０２の第２ガイド部材１０２ｇによる挟持作用でプラグコネクタ（第２のコネクタ）２の位置決め及び仮保持が行われる構成が採用されている一方、前述したように固定支持枠１０１の第１ガイド部材１０１ａがリセプタクルコネクタ（第１のコネクタ）１の外枠に装着されて電気コネクタ嵌合治具１００の位置決めが行われている。従って、上述したように移動押込枠１０２に仮保持されたプラグコネクタ２は、第２ガイド部材１０２ｇ及び第１ガイド部材１０１ａを介して、リセプタクルコネクタ１に対してコネクタ前後方向及び長手方向に位置決めされることとなり、その結果、プラグコネクタ２は、リセプタクルコネクタ１の直上位置、すなわち嵌合対向位置に仮保持される。
【００３８】
このような構成を有する第１の実施形態にかかる電気コネクタ嵌合治具１００を用いて両コネクタ１，２どうしを嵌合させるにあたっては、まずプラグコネクタ（第２のコネクタ）２を電気コネクタ嵌合治具１００に挟持させるために、当該プラグコネクタ２を、電気コネクタ嵌合治具１００の使用時下端部分から治具内部に挿入する。このときの電気コネクタ嵌合治具１００は、非操作状態、つまり移動押込枠１０２が上方位置に押し上げられた状態にあり、かつその移動押込枠１０２における一対のチャッキング片１０２ｂ，１０２ｂどうしが互いに離間した状態になされている。
【００３９】
そして、電気コネクタ嵌合治具１００の固定支持枠１０１の使用時下端部分に設けられた一対の第１ガイド部材１０１ａ，１０１ａの間部分を通してプラグコネクタ（第２のコネクタ）２を治具内部に挿入していき、そのプラグコネクタ２の長手方向両側部分の外方位置に、前記移動押込枠１０２の各チャッキング片１０２ｂに設けられた第２ガイド部材１０２ｇを対面させた状態とする（図８参照）。そして、その移動押込枠１０２の挟持操作部１０２ｄ，１０２ｄを手の指で両側から挟むようにして内方側に押し込み、図５〜図７に示されているように、一対のチャッキング片１０２ｂ，１０２ｂどうしを接触させた状態とする。これによって、各チャッキング片１０２に設けられた第２ガイド部材１０２ｇが、プラグコネクタ２の長手方向両側部分に当接・係合し、プラグコネクタ２が仮保持状態になされる。
【００４０】
次いで、そのプラグコネクタ（第２のコネクタ）２の仮保持状態から、電気コネクタ嵌合治具１００をリセプタクルコネクタ（第１のコネクタ）１の直上位置まで搬送する。そして、図９〜図１２に示されているように、電気コネクタ嵌合治具１００の固定支持枠１０１に設けられた第１ガイド部材１０１ａを、リセプタクルコネクタ１の外枠に当接させるようにして電気コネクタ嵌合治具１００をリセプタクルコネクタ１に装着する。これによってプラグコネクタ２は、リセプタクルコネクタ１の上方所定位置、つまり嵌合対向位置に位置決めされる。このとき、コネクタ前後方向及び長手方向に対する両コネクタの位置決めも行われている。さらに、そのままの状態で、図１３に示されているように、押圧嵌合部材を兼用する移動押込枠１０２を下降させれば、両コネクタ１，２どうしの嵌合が行われる。
【００４１】
このように本実施形態によれば、リセプタクルコネクタ（第１のコネクタ）１に対して電気コネクタ嵌合治具１００の第１ガイド部材１０１ａが所定の位置関係をなすように装着されるとともに、その電気コネクタ嵌合治具１００の第１ガイド部材１０１ａに対して所定の位置関係をなす第２ガイド部材１０２ｇにプラグコネクタ（第２のコネクタ）２が装着されることによって、それらの第１及び第２のガイド部材１０１ａ，１０２ｇを介してリセプタクルコネクタ１に対する嵌合対向位置にプラグコネクタ２が位置決めされた状態で仮保持されることとなる。そして、その位置決めされて仮保持状態になされたプラグコネクタ２が、押圧嵌合部材としての移動押込枠１０２の押し込み操作によってリセプタクルコネクタ１に対する最終嵌合位置まで容易かつ円滑に押し込まれる。
【００４２】
このとき本実施形態にかかる第１ガイド部材１０１ａは、リセプタクルコネクタ（第１のコネクタ）１の外枠を位置基準として装着されるように構成されていることから、リセプタクルコネクタ１に対して第１ガイド部材１０１ａが容易かつ精度良く装着される。
【００４３】
前述したようにして両コネクタ１，２どうしの嵌合を完了したら、移動押込枠１０２の挟持操作部１０２ｄ，１０２ｄから手の指を離すようにすれば、図１４に示されているように、一対のチャッキング片１０２ｂ，１０２ｂどうしが離間した状態となり、これによって、各チャッキング片１０２ｂに設けられた第２ガイド部材１０２ｇがプラグコネクタ２から離間して電気コネクタ嵌合治具１００は解除状態になされる。その後、電気コネクタ嵌合治具１００を図１５に示されているように上方に持ち上げ、既に嵌合を完了している両コネクタ１，２から引き離す。なお、電気コネクタ嵌合治具１００は、両コネクタ１，２の嵌合だけではなく、抜去も行うことができる。その手順を以下に示す。
【００４４】
すなわち、まずプラグコネクタ２と嵌合がなされたリセプタクルコネクタ１の外枠に対して電気コネクタ嵌合治具１００の第１ガイド部材１０１ａを装着するようにしてセットする。次いで、プラグコネクタ２を電気コネクタ嵌合治具１００の挟持操作部１０２ｄ，１０２ｄを内方に押し込むように操作して前記各チャッキング片１０２に設けられた第２ガイド部材１０２ｇをプラグコネクタ２側に当接・係合させ、プラグコネクタ２を掴んで把持状態とする。そして、そのように電気コネクタ嵌合治具１００にてプラグコネクタ２を掴んだ状態で、そのまま上方に持ち上げれば、リセプタクルコネクタ１からプラグコネクタ２が抜去される。
【００４５】
次に、図１６〜図２７に示されている第２の実施形態にかかる電気コネクタ嵌合治具２００は、図示のように印刷配線基板Ｐが載置された作業台３００上にセットして使用されるものであって、前記作業台３００上に安定的に保持される基台部２０１には、略平行な一対の固定支持アーム２０２，２０２が、前記作業台３００の表面に沿って略水平に延在するように設けられている。それら一対の固定支持アーム２０２，２０２の延出方向の先端部分には、前記印刷配線基板Ｐ上に実装された第１のコネクタとしてのリセプタクルコネクタ１の前後方向及び長手方向に当接する固定支持枠２０３が取り付けられている。
【００４６】
また、前記固定支持アーム２０２の延出方向の先端部分には、当該固定支持アーム２０２の延出方向と略直交する横幅方向に沿って前記固定支持枠２０３の両側外方に延出する一対のセットアーム２０２ａ，２０２ａがそれぞれ設けられている。これらの各セットアーム２０２ａには、比較的大径の初期セットピン２０２ｂが、使用時下方に向かって突出するように取り付けられており、それらの初期セットピン２０２ｂが、治具の使用開始時に、印刷配線基板Ｐに形成された初期セット穴Ｐ１に挿入されるようになっている。この初期セット穴Ｐ１の内径は、上述した電気コネクタ嵌合治具１００側に設けられた初期セットピン２０２ｂを遊嵌状態で受け入れるように比較的大径に形成されており、当該印刷配線基板Ｐ側の初期セット穴Ｐ１に対して電気コネクタ嵌合治具２００の側の初期セットピン２０２ｂが遊嵌状態で挿入されることによって、電気コネクタ嵌合治具２００の全体が、印刷配線基板Ｐ上のリセプタクルコネクタ１に対して概略的に位置決めされた状態で初期セットされるようになっている。
【００４７】
また、前記固定支持枠２０３には、前述したリセプタクルコネクタ（第１のコネクタ）１の外枠に沿って装着される第１ガイド部材２０３ａが設けられている。この第１ガイド部材２０３ａは、特に図１８及び図２３に示されているように、前述したリセプタクルコネクタ１の外枠のうち、平面視において前端側縁部及び長手方向両端部分に相当する部位に内壁面が当接するように構成されており、当該第１ガイド部材２０３ａをリセプタクルコネクタ１に装着することによって、リセプタクルコネクタ１の前後方向及び長手方向に対する電気コネクタ嵌合治具２００の位置決めが行われるようになっている。
【００４８】
このとき、前記第１ガイド部材２０３ａは、リセプタクルコネクタ（第１のコネクタ）１の上面に当接された状態で保持され、当該第１ガイド部材２０３ａは、印刷配線基板Ｐの上面に対して非接触状態にセットされる構成になされている。従って、図１８（ｂ）に示されているように、この第１ガイド部材２０３ａの印刷配線基板Ｐと対向する下面と、印刷配線基板Ｐとの間には僅かな隙間Ｓが形成されている。
【００４９】
また、この第１ガイド部材２０３ａは、使用時上下方向に延在する挿入通路２０３ａ１を備えており、その挿入通路２０３ａ１を通してプラグコネクタ（第２のコネクタ）２の挿入が行われるようになっている。そして、特に本実施形態においては、その挿入通路２０３ａ１が、プラグコネクタ（第２のコネクタ）２を位置決めする第２ガイド部材２０３ｇの内部通路をなすようにして形成されている。すなわち、前記固定支持枠２０３には、上述した第１ガイド部材２０３ａに対して適宜の位置関係をなすようにして第２ガイド部材２０３ｇが設けられている。この第２ガイド部材２０３ｇは、特に図１８に示すように、第１ガイド部材２０３ａの上方に位置するように配置されている。
【００５０】
この第２ガイド部材２０３ｇは、プラグコネクタ（第２のコネクタ）２の一部である長手方向の両端部分に当接するように構成されており、当該第２ガイド部材２０３ｇに対してプラグコネクタ２を挿入することによって当該プラグコネクタ２の位置決め及び仮保持が行われるようになっている。そして、この第２ガイド部材２０３ｇが、上述したように第１ガイド部材２０３ａと適宜の位置関係をなすように配置されていることにより、当該第２ガイド部材２０３ｇに位置決め及び仮保持されたプラグコネクタ２が、リセプタクルコネクタ（第１のコネクタ）１に対して所定の位置関係に位置決めされる構成になされている。
【００５１】
このときの前記第２ガイド部材２０３ｇによるプラグコネクタ（第２のコネクタ）２の位置決め及び仮保持は、特に図２２及び図２４に示されているように、プラグコネクタ２の長手方向両端部分のハウジング両端凸部２ｂの後端面側に設けられた凹状段部２ｃ及びプラグコネクタ２の前端側縁部２ｄに対して、当該第２ガイド部材２０３ｇの内壁面が当接することにより行われる。これによって、電気コネクタ嵌合治具２００に対するプラグコネクタ２の位置決めが行われるが、このようなプラグコネクタ２の前後方向及び長手方向に対する位置決めは、上述した第１ガイド部材２０３ａにより位置決めされたリセプタクルコネクタ（第１のコネクタ）１の直上位置となるように行われる。
【００５２】
ここで、本実施形態における第２ガイド部材２０３ｇは、リセプタクルコネクタ（第１のコネクタ）１の直上位置から下方に向かって延在する通路空間をなすように形成されている。この第２ガイド部材２０３ｇにて形成される通路空間部分は、上述したように第１ガイド部材２０３ａの挿入通路２０３ａ１を形成しており、前記通路空間と挿入通路２０３ａ１は、連続するように配置されている。この上下方向に延在する各第２ガイド部材２０３ｇにより形成された挿入通路２０３ａ１の上端には開口部が設けられていて、この挿入通路２０３ａ１の上端部開口部に沿ってプラグコネクタ２が挿入可能となるように構成されている。
【００５３】
上述したようにして第２ガイド部材２０３ｇにより形成された挿入通路２０３ａ１内に挿入されたプラグコネクタ（第２のコネクタ）２は、リセプタクルコネクタ（第１のコネクタ）１の直上位置に位置決めされることとなり、その位置決めされたプラグコネクタ２が、前記第２ガイド部材２０３ｇにより形成された挿入通路２０３ａ１に沿って下降されることによってリセプタクルコネクタ１に対する嵌合が行われるようになっている。
【００５４】
このとき、上述した各第２ガイド部材２０３ｇにより形成された挿入通路２０３ａ１の上下方向の両端部には、プラグコネクタ（第２のコネクタ）２を嵌合対向位置に仮保持する抜け防止バネ２０３ｈがそれぞれ取り付けられている。それらの各抜け防止バネ２０３ｈは、折曲板状の弾性バネ部材から形成されており、上述した第２ガイド部材２０３ｇの上端開口部から、当該第２ガイド部材２０３ｇにより形成された挿入通路２０３ａ１の内壁面に沿って所定の長さだけ下方に延出した後に、その挿入通路２０３ａ１の内部空間側に向かってコネクタ嵌合方向に対する斜め方向に突出するように、折り曲げ形成されている。
【００５５】
この抜け防止バネ２０３ｈにおける傾斜突出部分には、上述したように第２ガイド部材２０３ｇにより形成された挿入通路２０３ａ１の上端開口部から内部に挿入されたプラグコネクタ（第２のコネクタ）２が接触することとなるが、そのプラグコネクタの下方移動に対して容易に弾性変位するように形成されている。すなわち、そのように抜け防止バネ２０３ｈが弾性変位することによってプラグコネクタ２の押し込み下降操作が抜け防止バネ２０３ｈによって邪魔されることがないように構成されている。
【００５６】
さらに、それらの各抜け防止バネ２０３ｈの下端部分には、略水平に延在するように折り曲げ形成された補助押し部２０３ｈ１がそれぞれ設けられている。それらの各補助押し部２０３ｈ１は、上述したようにして第２ガイド部材２０３ｇにより形成された挿入通路２０３ａ１の内部に挿入されたプラグコネクタ（第２のコネクタ）２に対して、上方側から軽圧接するように配置されている。そして、この抜け防止バネ２０３ｈの補助押し部２０３ｈ１の軽圧接でプラグコネクタ２に作用される押し下げ力により、リセプタクルコネクタ（第１のコネクタ）１上にプラグコネクタ２が載せられた状態、つまり嵌合対向位置にプラグコネクタ２が仮保持される。また、そのような抜け防止バネ２０３ｈによる仮保持状態が維持されることによってプラグコネクタ２の脱落が防止されるようになっている。このとき、プラグコネクタ２は、リセプタクルコネクタ１に対して、第２ガイド部材２０３ｇによりコネクタ前後方向及び長手方向に位置決めされている。
【００５７】
上述したようにしてプラグコネクタ（第２のコネクタ）２が位置決め及び仮保持状態になされると、印刷配線基板Ｐに実装されたリセプタクルコネクタ（第１のコネクタ）１に対する嵌合対向位置にプラグコネクタ２が配置されることとなるが、その位置決め及び仮保持状態から次に説明する押圧嵌合部材２０４を用いた嵌合操作が行われ、それによってプラグコネクタ２がリセプタクルコネクタ１に向かって近接されるように移動し、両コネクタ１，２どうしの最終嵌合位置までプラグコネクタ２が押し込まれる構成になされている。
【００５８】
すなわち、前述した作業台３００上に載置された基台部２０１には、細長状部材からなる押圧嵌合部材２０４が略水平に延在する回動軸２０４ａに対して上下方向に回動するように取り付けられている。この押圧嵌合部材２０４は、上述した一対の固定支持アーム２０２，２０２の間部分に沿って配置される押込み作用位置と、その押込み作用位置から上方に持ち上げられた上方待機位置との間で回動するように構成されている。
【００５９】
この押圧嵌合部材２０４における回動側の先端部分には、略平板状をなす押込み部材２０４ｂが、前記固定支持アーム２０２の回動軌跡の略接線方向に突出するように取り付けられている。その押込み部材２０４ｂの突出先端縁部は、前述したようにして嵌合対向位置に仮保持されたプラグコネクタ（第２のコネクタ）２の上面部に対して当接可能となるように配置されている。
【００６０】
このような第２の実施形態にかかる電気コネクタ嵌合治具２００を用いて両コネクタ１，２どうしを嵌合させるにあたっては、まず図１６に示されているように、リセプタクルコネクタ（第１のコネクタ）１が実装された印刷配線基板Ｐを、作業台３００上の適宜の位置にセットする。このとき、電気コネクタ嵌合治具２００の側の初期セットピン２０２ｂを印刷配線基板Ｐ側に設けられた初期セット穴Ｐ１に挿入することで、電気コネクタ嵌合治具２００とリセプタクルコネクタ１とが簡易的に位置決めされる。
【００６１】
次いで、電気コネクタ嵌合治具２００の押圧嵌合部材２０４を上方待機位置に跳ね上げた状態として、図１９に示されているように、当該電気コネクタ嵌合治具２００の固定支持枠２０３に設けられた第１ガイド部材２０３ａを、リセプタクルコネクタ（第１のコネクタ）１の外枠に当接させるようにして装着し、基台部２０１を作業台３００上に載置する。
【００６２】
そして、図２１に示されているように、プラグコネクタ（第２のコネクタ）２を、第２ガイド部材２０３ｇにより形成された挿入通路２０３ａ１の上端開口部から内部に向かって挿入し、さらにそのプラグコネクタ２を、抜け防止バネ２０３ｈの弾性力に抗して軽く押し下げる。これによって、図２１及び図２２に示されているようにプラグコネクタ２が、リセプタクルコネクタ（第１のコネクタ）１の上に軽接触した状態に載せられ、嵌合対向位置に位置決めされた状態で仮保持される。そのプラグコネクタ２の位置決めされた仮保持状態は、抜け防止バネ２０３ｈの補助押し部２０３ｈ１の軽圧接にて維持される。
【００６３】
次いで、上方待機位置にあった押圧嵌合部材２０４を、下方側に回動させるようにして押し下げていき、図２５に示されているように、当該押圧嵌合部材２０４に設けられた押込み部材２０４ｂの突出先端縁部を押込み作用位置まで回動させる。このような押圧嵌合部材２０４の押し込み操作が行われることによって、プラグコネクタ（第２のコネクタ）２はリセプタクルコネクタ（第１のコネクタ）１に向かって近接されるように移動され、両コネクタ１，２どうしの嵌合が行われる。
【００６４】
このように本実施形態においても、リセプタクルコネクタ（第１のコネクタ）１に装着された第１ガイド部材２０３ａ、及びその第１ガイド部材２０３ａと適宜の位置関係をなす第２ガイド部材２０３ｇを介して、リセプタクルコネクタ１とプラグコネクタ（第２のコネクタ）２とが嵌合対向位置に仮保持され、押圧嵌合部材２０４の下方側への押し込み操作によって両コネクタ１，２どうしが円滑かつ容易に最終嵌合状態になされるようになっている。
【００６５】
このとき、本実施形態においては、位置決めされたプラグコネクタ（第２のコネクタ）２の仮保持状態が弾性部材としての抜け防止バネ２０３ｈの押圧付勢によって良好に維持され、より安定した嵌合作業が可能となる。
【００６６】
さらにまた、本実施形態においては、第１ガイド部材２０３ａが、リセプタクルコネクタ（第１のコネクタ）１に当接することにより保持され、印刷配線基板Ｐに対して非接触状態になされていることから、プラグコネクタ（第２のコネクタ）２の嵌合が、常にリセプタクルコネクタ１を位置基準として行われることとなって、両コネクタ１，２どうしの嵌合代が一定に維持される。従って、例えば印刷配線基板Ｐにリセプタクルコネクタ１を半田接続した際に、実装高さにバラツキを生じた場合等においても、両コネクタ１，２どうしの嵌合が良好に行われる。
【００６７】
また、リセプタクルコネクタ１とプラグコネクタ２の嵌合が完了した状態で、更に、押圧嵌合部材２０４にてプラグコネクタ２をリセプタクルコネクタ１に押し込んだとしてもその力を印刷配線基板Ｐではなく、コネクタどうしで受けるため印刷配線基板Ｐへのダメージを最小限にすることができる。また、嵌合する動作を押圧嵌合部材２０４の回動にて行っているのでコネクタ後方側に障害物等があり作業スペースがない場合でもコネクタ前方側から容易に作業を行うことができる。
【００６８】
前述したようにして両コネクタ１，２どうしの嵌合を完了したら、図２７に示されているように、電気コネクタ嵌合治具２００の第１ガイド部材２０３ａをリセプタクルコネクタ（第１のコネクタ）１の外枠から解除して、電気コネクタ嵌合治具２００を作業台３００から離間させる。
【００６９】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００７０】
例えば、上述した各実施形態は、垂直嵌合型の電気コネクタを嵌合させる電気コネクタ嵌合治具に本発明を適用したものであるが、水平嵌合型の電気コネクタを嵌合させる電気コネクタ嵌合治具に対しても同様に適用することができる。
【００７１】
さらに本発明は、上述した各実施形態のような同軸ケーブル用の電気コネクタを嵌合させる電気コネクタ嵌合治具に対するに限定されることはなく、同軸ケーブルと単線ケーブルとが複数混合したタイプの電気コネクタや、フレキシブル配線基板等が連結される電気コネクタ等を嵌合させる電気コネクタ嵌合治具についても同様に適用することが可能である。
【産業上の利用可能性】
【００７２】
以上のように本発明は、各種電気機器に使用される多種多様な電気コネクタに対して広く適用することが可能である。
【符号の説明】
【００７３】
１  リセプタクルコネクタ（第１のコネクタ）
１ａ  嵌合凹部
１ｂ  ハウジング両端凹部
２  プラグコネクタ（第２のコネクタ）
２ａ  嵌合凸部
２ｂ  ハウジング両端凸部
２ｃ  凹状段部
２ｄ  前端側縁部
３  同軸ケーブル
Ｐ  印刷配線基板
１１，２１  絶縁ハウジング
１２，２２  導電性シェル
１２ａ  ホールドダウン部
１００  電気コネクタ嵌合治具
１０１  固定支持枠
１０１ａ  第１ガイド部材
１０１ａ１  挿入通路
１０１ｂ  バネ受け座面
１０１ｃ  ストッパー
１０１ｄ  中心合せ部材
１０２  移動押込枠
１０２ａ  上端基部
１０２ｂ  チャッキング片
１０２ｂ１  弾性連結板
１０２ｂ２  揺動規制板
１０２ｃ  コイルバネ
１０２ｄ  挟持操作部
１０２ｅ  バネ受け座面
１０２ｆ  ストッパー
１０２ｇ  第２ガイド部材
１０３  コイルバネ
ＹＣＬ  中心線
２００  電気コネクタ嵌合治具
２０１  基台部
２０２  固定支持アーム
２０３  固定支持枠
２０３ａ  第１ガイド部材
２０３ａ１  挿入通路
２０３ｇ  第２ガイド部材
２０３ｈ  抜け防止バネ
２０３ｈ１  補助押し部
Ｓ  隙間
２０４  押圧嵌合部材
２０４ａ  回動軸
２０４ｂ  押込み部材
３００  作業台
【図１】
2010244762.tif 000003
【図２】
2010244762.tif 000004
【図３】
2010244762.tif 000005
【図４】
2010244762.tif 000006
【図５】
2010244762.tif 000007
【図６】
2010244762.tif 000008
【図７】
2010244762.tif 000009
【図８】
2010244762.tif 000010
【図９】
2010244762.tif 000011
【図１０】
2010244762.tif 000012
【図１１】
2010244762.tif 000013
【図１２】
2010244762.tif 000014
【図１３】
2010244762.tif 000015
【図１４】
2010244762.tif 000016
【図１５】
2010244762.tif 000017
【図１６】
2010244762.tif 000018
【図１７】
2010244762.tif 000019
【図１８】
2010244762.tif 000020
【図１９】
2010244762.tif 000021
【図２０】
2010244762.tif 000022
【図２１】
2010244762.tif 000023
【図２２】
2010244762.tif 000024
【図２３】
2010244762.tif 000025
【図２４】
2010244762.tif 000026
【図２５】
2010244762.tif 000027
【図２６】
2010244762.tif 000028
【図２７】
2010244762.tif 000029